(57)【要約】【課題】  構造が簡単で籾殻の枝梗を除去する機能が高い脱穀処理物搬送装置を提供する。【解決手段】  脱穀後の処理物を搬送する二番物搬送スクリュウ２０を、処理物を持ち上げ搬送する縦送りスクリュウ２０Ｂとその縦送りスクリュウ２０Ｂを収納する縦向き搬送ケース２４で構成し、縦向き搬送ケース２４の内面に、二番物に接触する粗面を備えた不織布製の処理材２６を設けてある。【選択図】        図３
2005270054.tif 000002
【特許請求の範囲】
【請求項１】
脱穀後の処理物を搬送する搬送装置の搬送径路に、前記搬送処理物に接触する多孔状の粗面を備えた処理材を設けてある脱穀処理物搬送装置。
【請求項２】
前記処理材が不織布である請求項１記載の脱穀処理物搬送装置。
【請求項３】
前記処理材が、その粗面に多数の小孔を設けて構成してある請求項１記載の脱穀処理物搬送装置。
【請求項４】
脱穀後の処理物を搬送する搬送装置を搬送スクリュウとその搬送スクリュウを収納する二つ割り型のケースで構成し、前記二つ割り型のケースの一方の搬送ケースの内面に、前記搬送処理物に接触する粗面を備えた処理材を設けてある脱穀処理物搬送装置。
【請求項５】
脱穀後の処理物を搬送する搬送装置を、処理物を持ち上げ搬送する縦送りスクリュウとその縦送りスクリュウを収納する縦向き搬送ケースで構成し、前記縦向き搬送ケースの内面に、前記搬送処理物に接触する粗面を備えた処理材を設けてある脱穀処理物搬送装置。
【発明の詳細な説明】
【技術分野】
【０００１】
本発明は、コンバイン等の刈取収穫機において、脱穀後の籾に処理を施す部材を備えた脱穀処理物搬送装置に関する。
【背景技術】
【０００２】
籾殻から突出する枝梗等は、扱ぎ処理を行う扱室内で単粒化処理を施される過程で処理されて回収されるのが望ましいが、扱室内での処理物の増大等によって十分な処理を行うこともできないことがある。そのために、単粒化処理を促進することを目的として、二番物搬送スクリュウの脱穀装置底面近くに位置する横送りスクリュウとその横送りスクリュウの終端位置から縦送りスクリュウの下端始端部との接続部位に、横スクリュウの半径方向二箇所に処理歯を設けていたものがある（特許文献１参照）。
【０００３】
【特許文献１】特開平１１−５６０８９号公報（段落番号〔００１２〕及び、図２，４）
【発明の開示】
【発明が解決しようとする課題】
【０００４】
上記構成においては、二番物搬送スクリュウの脱穀装置底面近くに位置する横送りスクリュウとその横送りスクリュウの終端位置から縦送りスクリュウの下端始端部との接続部位に、横送りスクリュウをカバーする中継ケースとその中継ケースの内面に処理歯を植設する必要があり、構造が大掛かりになる欠点があった。
【０００５】
本発明の目的は、構造が簡単で籾殻から突出する枝梗を除去する機能が高い脱穀処理物搬送装置を提供する点にある。
【課題を解決するための手段】
【０００６】
〔構成〕
請求項１に係る発明の特徴構成は、脱穀後の処理物を搬送する搬送装置の搬送径路に、前記搬送処理物に接触する多孔状の粗面を備えた処理材を設けてある点にあり、その作用効果は次の通りである。
【０００７】
〔作用〕
つまり、脱穀後の処理物が搬送装置で送られる途中の径路で、処理材に圧接されると、籾殻より突出する枝梗がその粗面の孔部分に引っ掛かって引き剥がされ、枝梗が籾殻より取り去られると考えられる。
【０００８】
〔効果〕
したがって、多孔状の粗面を備えた処理材を搬送径路に沿って設けるだけの簡単な構造で、枝梗を効率よく取り去ることのできる脱穀処理物搬送装置を提供できるに至った。
【０００９】
請求項２に係る発明の特徴構成は、前記処理材が不織布である点にあり、その作用効果は次の通りである。
【００１０】
〔作用効果〕
つまり、不織布自体は、繊維群を複雑に絡ませ結合して形成したものであるので、成形物自体が多孔質のものとなり、表面も当然多孔状態になっているので、枝梗を引っ掛け係止して引き剥がす能力が高い。しかも、搬送径路に沿って取り付ける等の取扱いも容易となる。
【００１１】
請求項３に係る発明の特徴構成は、前記処理材が、その粗面を多数の小孔を設けて構成してある点にあり、その作用効果は次の通りである。
【００１２】
〔作用効果〕
つまり、多数設けた小孔内に搬送途中の枝梗の先端部を入り込ませて、小孔の縁部で切断し除去できる。しかも、処理材として多数の小孔を設けるだけの粗面を形成するだけでよく、製作上、及び、搬送経路に沿って設けるにも簡単な手間でよい。
【００１３】
請求項４に係る発明の特徴構成は、脱穀後の処理物を搬送する搬送装置を搬送スクリュウとその搬送スクリュウを収納する二つ割り型のケースで構成し、前記二つ割り型のケースの一方の搬送ケースの内面に、前記搬送処理物に接触する粗面を備えた処理材を設けてある点にあり、その作用効果は次の通りである。
【００１４】
〔作用効果〕
処理材を取り付けたケースが二つ割り型のケースであるので、処理材を取り付けた半割りケースを取り外すことによって、処理材の取り替え修復作業等を容易に行うことができる。
【００１５】
請求項５に係る発明の特徴構成は、脱穀後の処理物を搬送する搬送装置を、処理物を持ち上げ搬送する縦送りスクリュウとその縦送りスクリュウを収納する縦向き搬送ケースで構成し、前記縦向き搬送ケースの内面に、前記搬送処理物に接触する粗面を備えた処理材を設けてある点にあり、その作用効果は次の通りである。
【００１６】
〔作用効果〕
処理材を取り付ける対象として縦向き搬送ケースに設定したので、籾等は持ち上げ移送されながら、処理材の粗面に接触作用するので、搬送ケースに向かう半径方向力を受けることは少ない。したがって、強く処理材に押し付けられることはなく、籾が傷むことが少なく、穏やかな処理で枝梗等を除去できる。
【発明を実施するための最良の形態】
【００１７】
コンバインについて説明する。図１に示すように、コンバインは、左右一対のクローラ式走行装置１を備えた走行機体２、走行機体２の前部に昇降揺動可能に連結された刈取前処理部３、走行機体２に搭載された脱穀装置４、脱穀装置４の後部に連結された排ワラ処理部５、走行機体２の右半部前側に形成された搭乗運転部６、及び、走行機体２の右半部後側に搭載されたグレンタンク７、などによって構成されている。刈取前処理部３において植立穀稈を刈り取るとともに刈り取り後の穀稈を脱穀装置４に向けて搬送し、脱穀装置４において刈取穀稈の穂先側に対して脱穀処理を施すとともに脱穀処理で得られた処理物に対して選別処理を施し、その選別処理で得られた穀粒をグレンタンク７に貯留する一方で脱穀処理後の排ワラを排ワラ処理部５にて機外に排出するようになっている。
【００１８】
図１に示すように、グレンタンク７に貯留された穀粒は、底スクリュウ８によって後方に搬送されるとともに、グレンタンク７の後端に備えられたアンローダ９によって畦の運搬車等の荷台に移し変えられるようになっている。アンローダ９は、縦スクリュウコンベア９Ａと、その縦スクリュウコンベア９Ａの上端に横向き軸芯周りで上下揺動自在に連結された横スクリュウコンベア９Ｂと、その横スクリュウコンベア９Ｂの先端に形成された放出口９Ｃとを備えて、構成されている。
【００１９】
次に、脱穀装置４の構成について説明する。図２に示すように、脱穀装置４は、脱穀フィードチェーン１０に挾持されて扱室１１内に搬送されてくる刈取搬送穀稈に対して扱ぎ処理を加える扱胴１２、扱胴１２で処理された穀粒を下方に漏下する受網１３、受網１３の下方に揺動選別部１４を備えて構成されている。揺動選別部１４は、受網１３から漏下される穀粒を含む処理物を受けて後方に送りながら比重選別を行うグレンパン１５と、このグレンパン１５から送られる処理物と扱室１１の後半部より受網１３を通して漏下する処理物を受けて穀粒を落下させるチャフシーブ１６と、チャフシーブ１６の下方に穀粒を主として選別して下方に漏下させるグレンシーブ１７とを備え、これらチャフシーブ１６、グレンシーブ１７へ落下する処理物に対して選別風を作用させる唐箕１８を設けて、風選別作用を加えるべく構成されている。
【００２０】
上記構成に加えて、揺動選別部１４には、グレンシーブ１７より漏下する穀粒をグレンタンク７に搬入する一番物搬送スクリュウ１９と、その一番物搬送スクリュウ１９の機体後方側で選別風によって送られる穂切粒と枝梗付粒とを混在した二番物を扱室１１に還流する二番物搬送スクリュウ２０と、機体後端に藁屑等を機外に排出する排塵ファン２１とが配置構成されている。
【００２１】
つぎに、籾から枝梗等の表面突起物を取り除く二番物搬送スクリュウ２０の構造について説明する。図３及び図４に示すように、二番物搬送スクリュウ２０は、揺動選別部１４の下方に扱胴軸芯Ｘとは直交する横方向に沿って配設された横送りスクリュウ２０Ａと、その横送りスクリュウ２０Ａから二番物を受取り、扱室１１内に還流させる縦送りスクリュウ２０Ｂと、縦送りスクリュウ２０Ｂの上端に一体回転自在に取り付けた回転羽根２０Ｃと、回転羽根２０Ｃに対向して形成された排出口２０Ｄとで構成されている。
【００２２】
図３及び図４に示すように、横送りスクリュウ２０Ａが脱穀側板４Ａから突出する縦送りスクリュウ２０Ｂとの接続部位に、動力伝達構造と二番物送り込み構造を設けてある。前記接続部位に、横送りスクリュウ２０Ａと縦送りスクリュウ２０Ｂとのスクリュウ軸２０ａ、２０ｂを直交する状態で近接配置し、両スクリュウ軸２０ａ、２０ｂとに亘って装着したベベルギヤ機構２２で動力伝達可能に構成してある。横送りスクリュウ２０Ａの前記接続部位に臨む部分には、大径の羽根２０ｃが装着されており、縦送りスクリュウ２０Ｂに処理物を効率よく送り込めるようになっている。
【００２３】
ベベルギヤ機構２２は、中継伝動ケース２３によって支持されており、この中継伝動ケース２３から上方に向けて縦送りスクリュウ２０Ｂを収納する縦送りスクリュウケース２４が延出されている。縦送りスクリュウケース２４の上端には出口ケース２５が装着されており、この出口ケース２５がグレンタンク７に取り付け構成されている。
【００２４】
中継伝動ケース２３の底壁面に開閉蓋２３Ａを設け、処理材２６とで剥離された枝梗や藁屑を排出する開口を開閉蓋でカバーするように構成すれば、メインテンス作業がより容易になる。
【００２５】
図３に示すように、縦送りスクリュウケース２４は、二つ割りケース２４Ａ、２４Ｂで構成されており、夫々のケース２４Ａ、２４Ｂに形成した脱穀側板４Ａに平行なフランジ部２４ａ、２４ｂでボルト接合されており、メインテナンス時には、外側に位置する外ケース２４Ａを取り外して、縦送りスクリュウ２０Ｂに対する作業を行い易くなっている。
【００２６】
外ケース２４Ａの内面には、二番物に接触する多孔状の粗面を備えた処理材２６を設け、籾の枝梗等を除去する構成を採っている。図３及び図４に示すように、処理材２６としては不織布を一枚板に形成したものを使用してあり、二番物を揚穀する縦向きに立設してある縦送りスクリュウケース２４の中間位置にその処理材２６が接着してある。
縦送りスクリュウ２０Ｂで持ち上げられる二番物である籾を上昇途中でこの処理材２６の多孔状の粗面に接触させて、籾の表面に突出する枝梗等が引っ掛かり作用や擦り作用等を受けて、籾より擦り取られることになる。
【００２７】
〔別実施形態〕
以下、本発明の別実施形態を列記する。
（イ）  図５に示すように、処理材２６としては、単なる多孔板を使用してもよい。つまり、樹脂板や金属板に多数の孔２６ａを、不規則に又は整列状態で、あるいは、円形又は矩形のものに形成してもよい。多孔板としては、樹脂板か又は金属板の表面に多孔性の樹脂板を貼り付けたものでもよい。
（ロ）  処理材２６としては、縦送りスクリュウケース２４の外側ケース２４Ａだけでなく、内側ケース２４Ｂの内面に取り付けても良い。
（ハ）  処理材２６の設置位置としては、一番物搬送スクリュウ１９における横送りスクリュウ１９Ａの下方ケース面か、グレンタンク７に揚送する縦送りスクリュウ１９Ｂのケース内面に設けてもよい。
（ニ）  処理材２６の設置位置としては、グレンタンク７における底スクリュウ８の下に設けられるケース内面か、又は、アンローダ９の縦横スクリュウコンベア９Ａ、９Ｂのケース内面に設けてもよい。
【実施例】
【００２８】
多孔状の粗面を備えた処理材２６として使用される不織布の具体的な粗性を説明する。
不織布の作り方としては、多数本の繊維群を一定方向やランダム方向に集積して、接着樹脂で化学的に結合させたり、機械的に絡ませたり、熱融着繊維で結合させたりする方法がある。本願発明に使用されるものは、各ナイロン繊維毎に研磨砥粒が接着剤で付着されており、そのナイロン繊維群が絡み合って一枚の布を形成しているのであります。
このように、不織布自体は、繊維群を結合させたものであり、多孔質構造を形成するものである。
【図面の簡単な説明】
【００２９】
【図１】コンバインの全体側面図
【図２】脱穀装置を示す縦断側面図
【図３】二番物搬送装置の正面図
【図４】二番物搬送装置の縦断側面図
【図５】処理板の別実施構造を示す正面図
【符号の説明】
【００３０】
２０              搬送装置
２０Ｂ            搬送スクリュウ
２４Ａ,２４Ｂ    二つ割り型ケース
２６              処理材
２６ａ            小孔
【図１】
2005270054.tif 000003
【図２】
2005270054.tif 000004
【図３】
2005270054.tif 000005
【図４】
2005270054.tif 000006
【図５】
2005270054.tif 000007